(57)【特許請求の範囲】
【請求項１】
魚釣用リールの脚部から前後に延びる釣竿取付部を載置面に載置し、釣竿取付部の前端側を、この載置面の前部で後方に向けて開口する固定フードに挿入し、この釣竿取付部を他端側から移動フードで押圧することにより、前記載置面に釣竿取付部を押圧して保持するリールシートを有する釣り竿であって、
前記リールシートは、載置面の反対側で固定フードの開口端から竿先側の前方側部位に、外方に開口する凹部を有し、この凹部は、前方かつ外方を向き、保持した釣竿取付部から延びる脚部を人差し指から小指の間のいずれかの２本の指の間で挟んでリールシートを握持したときに、この握持した手の親指を支える後部傾斜面と、後方かつ外方を向き、親指の前方移動を規制する前部傾斜面とを有し、前記前部傾斜面は、後部傾斜面よりも釣り竿の軸芯に対して大きな角度を有することを特徴とする釣り竿。
【請求項２】
前記凹部は、後部傾斜面および前部傾斜面に連続し、内部に挿通した竿杆の外面を超えて軸芯側まで竿杆の両側に湾曲して延びる側底面を有することを特徴とする請求項１に記載の釣り竿。
【請求項３】
前記リールシートは、載置面と固定フードとを形成するリールシート本体と、このリールシート本体よりも軟質の材料で形成され、このリールシート本体の前部に取付けられる握り部とを有し、この握り部に前記凹部が形成されることを特徴とする請求項１又は２に記載の釣り竿。
【発明の詳細な説明】
【技術分野】
【０００１】
本発明は、釣り竿に関し、特に、リールシートを介して魚釣用リールを取付けた釣り竿に関する。
【背景技術】
【０００２】
魚釣用スピニングリールを取付けた釣り竿の実釣時における操作は、リールシートの載置面に固定した釣竿取付部からリール本体まで下方に延びる脚部を、中指と薬指との間または薬指と小指との間に挟み込み、このリールシートの上側すなわち載置面の反対側に親指を添えた状態で握持するのが一般的である。
【０００３】
このようなスピニングリールを取付けた釣り竿について、リール取付け側とは反対側の握り材上面に、指当て用の平面を形成し、この平面に握持する手の親指を当接することにより、親指を安定して密着させ、釣り竿を安定して握持することを可能とした釣り竿の握り部が開発されている（例えば特許文献１参照）。
【特許文献１】実開昭６１−６０６７７号公報
【発明の開示】
【発明が解決しようとする課題】
【０００４】
しかし、上述のような指当て用の平面は、親指を当接させることで釣り竿の回転を抑制することが可能であるとしても、前方に延ばした親指の腹部が当接するのみであり、後方に向く力を支えるようになっていない。このため、後方に向けて握り込む力を支えることはできず、例えばキャスティング等の、仕掛けを飛ばす方向に、正確に向けることはできない。
【０００５】
本発明は、このような事情に基づいて成されたもので、握持する手の全体で握り込み易く安定した握持が可能となる釣り竿を提供することを目的とする。
【課題を解決するための手段】
【０００６】
上記目的を達成する本発明の釣り竿は、魚釣用リールの脚部から前後に延びる釣竿取付部を載置面に載置し、釣竿取付部の前端側を、この載置面の前部で後方に向けて開口する固定フードに挿入し、この釣竿取付部を他端側から移動フードで押圧することにより、前記載置面に釣竿取付部を押圧して保持するリールシートを有する釣り竿であって、前記リールシートは、載置面の反対側で固定フードの開口端から竿先側の前方側部位に、外方に開口する凹部を有し、この凹部は、前方かつ外方を向き、保持した釣竿取付部から延びる脚部を人差し指から小指の間のいずれかの２本の指の間で挟んでリールシートを握持したときに、この握持した手の親指を支える後部傾斜面と、後方かつ外方を向き、親指の前方移動を規制する前部傾斜面とを有し、前記前部傾斜面は、後部傾斜面よりも釣り竿の軸芯に対して大きな角度を有することを特徴とする。
【０００７】
前記凹部は、後部傾斜面および前部傾斜面に連続し、内部に挿通した竿杆の外面を超えて軸芯側まで竿杆の両側に湾曲して延びる側底面を有することが好ましい。
【０００９】
また、前記リールシートは、載置面と固定フードとを形成するリールシート本体と、このリールシート本体よりも軟質の材料で形成され、このリールシート本体の前部に取付けられる握り部とを有し、この握り部に前記凹部が形成されることが好ましい。
【発明の効果】
【００１０】
本発明の釣り竿によると、リールの脚部を人差し指から小指の間のいずれかの二本の指の間で挟んでリールシートを握持したときに、載置面の反対側に形成した凹部の後部傾斜面を介して、親指を強く握り込むことができ、釣り竿の振れを防止しつつ一定の方向に安定した状態で操作することができ、更に、後部傾斜面よりも、前部傾斜面が釣り竿の軸芯に対して大きな角度を形成することにより、親指の前方移動を確実に規制し、魚釣り操作を容易にすることができる。
【００１１】
凹部が、後部傾斜面および前部傾斜面に連続し、内部に挿通した竿杆の外面を超えて軸芯側まで釣竿の両側に湾曲して延びる側底面を有する場合には、釣り竿の外面と側底面とで親指の側方への移動を防止し、確実に握持することができる。
【００１３】
また、リールシート本体よりも軟質の材料で形成された握り部に凹部が形成される場合には、親指の握持が容易となると同時に、痛くならず、操作し易い釣り竿を形成することができる。
【発明を実施するための最良の形態】
【００１４】
図１および図２は、本発明の好ましい実施形態による釣り竿１０を示す。
【００１５】
本実施形態の釣り竿１０は、例えばキャスティング用として適したもので、繊維強化樹脂製であるのが好ましい例えば元竿である竿杆１２を内部に挿通し、スピニングリール８である魚釣用リールを下側に吊下げた状態で取付けるリールシート１４を備える。このリールシート１４に取付けられる魚釣用リール８は、リール本体８ａから上方に延びる脚部６の先端に前後に延びる釣竿取付部４を有し、この釣竿取付部４を介してリールシート１４に固定される。なお、本明細書中で、上下とはスピニングリール８を吊下げた状態における上下方向を指し、前方は竿先側を指し、後方は竿尻側を指す。また、側方は、釣り竿１０を上方からみたときの、右または左側を指す。いずれも説明のためのものである。
【００１６】
このリールシート１４は、竿杆１２を軸方向に挿通する筒状構造のリールシート本体１６を備え、この下側には、魚釣用リール８の釣竿取付部４を載置する載置面１８を、前後に沿って平坦状に形成してある。この載置面１８の竿先側である前部では、固定フード２０の開口端２０ａが後方に向けて開口する。また、このリールシート本体１６の例えば握持した際の後端側外周部に形成したねじ部２２（図２の（Ｄ）参照）に、開口端２４ａを前方に向けて開口させた移動フード２４が軸方向に移動自在に装着される。
【００１７】
魚釣用リール８を取付ける場合は、釣竿取付部４をこのリールシート本体１６の載置面１８に載置し、前端を固定フード２０の開口内に開口端２０ａから挿入し、後端を開口端２４ａから移動フード２４の開口内に挿入する。移動フード２４をねじ部２２に沿って前方に移動すると、釣竿取付部４が後端側から固定フード２０内に付勢されると共に、固定フード２０および移動フード２４の開口内で傾斜面を介して載置面１８側に押圧される。これにより、釣竿取付部４がリールシート本体１６に強固に固定され、固定フード２０と移動フード２４との間から脚部６を突出させた状態で、魚釣用リール８の全体がこのリールシート本体１６にガタ付を生じることなく、強固に保持される。
【００１８】
なお、上述の移動フード２４は、後方部位の全周にわたってリールシート本体１６よりも軟質の材料で形成した柔軟部材を配置した後部握り部２４ｂを兼ね、ねじ部２２上で回転しつつ前後に移動するナット部材と一体に形成し、その開口端２４ａを全周にわたって開口させてあるが、移動フード２４を回転させることなく連結した別個のナット部材を回転させ、前後動させてもよい。この場合には、固定フード２０の開口端２０ａと対向した部位にのみ開口端２４ａを開口させることができる。また、このリールシート本体１６内に挿通される竿杆１２は、中空構造あるいは中実構造のいずれであってもよく、例えば接着剤を用いてリールシート本体１６の内周面に強固に固着される。
【００１９】
本実施形態のリールシート本体１６は、強度を維持しつつ軽量構造とするために、例えばナイロンやＡＢＳ等の合成樹脂で筒状に形成されるのが好ましく、一方、このような合成樹脂だけでなく、金属（例えばＳＵＳ、アルミニウム、マグネシウム、チタン、真鍮）等の適宜の材料から形成してもよい。
【００２０】
このリールシート本体１６は、図１に点線で示すように、このリールシート本体１６の載置面１８上に釣竿取付部４を保持あるいは固定したときに、脚部６が配置される位置よりも前方部位１６ａを、図２の（Ａ）に示すように、後方部位１６ｂよりも側方寸法の大きな幅広に形成し、全体に握持し易い形状に形成してある。
【００２１】
具体的には、このリールシート本体１６から延びる脚部６を、例えば中指と薬指との間（図１）または薬指と小指との間等の、人差し指から小指の間のいずれかの２本の指の間で挟んでリールシート１４を握持したときに、後方部位１６ｂを薬指および小指で握り込み易い幅狭構造に形成し、一方、前方部位１６ａは人差し指および中指で容易に握り込むことができる幅広構造に形成し、脚部６が配置される部位で、これらの前方部位１６ａと後方部位１６ｂとが滑らかな曲面で連結される。符号１６ｃは幅広構造部と幅狭構造部との間の稜線部を示す。両側に形成されるこの稜線部１６ｃ間の幅は、固定フード２０の開口端２０ａと脚部６との間のほぼ中央位置で最も広く形成され、後方に向けて次第に狭くなる。
【００２２】
このリールシート本体１６の前方部位１６ａは、載置面１８の反対側で、脚部６が配置される位置と固定フード２０の開口端２０ａとの間の中間部に、上方に最も突出した頂部を有する膨出部２６を形成し、この頂部から前方および後方に滑らかに湾曲しつつ軸芯側に下降する傾斜面が延びる。この膨出部２６の後方傾斜面は、図１に示すように、中指と薬指との間に脚部６を挟んで深く握り込んだときに、握持した手の母指球を当接させることができる。反対側の前方傾斜面は、固定フード２０の開口よりも僅かに前方位置まで延び、母指球から指先に向けた曲線に沿った形状にすることで握持性を高めることができる。
【００２３】
また、前方部位１６ａの載置面１８の側には、固定フード２０の前端から膨出部２６よりも前方に突出すると共に、下方に膨出する延長部２８を形成してある。この延長部２８は、魚釣用リールを取付けたときの脚部６と固定フード２０の開口端２０ａとの間の距離にほぼ等しい距離だけ、この開口端２０ａから前方に延びる。この延長部２８の前後方向に沿う中間部位の頂部は、図１に示すように、中指と薬指との間に脚部６を挟みかつ中指の前方を、この中指との間に間隙を設けて軽く握り込んだときに、握持した手の人差し指が掛かる前方傾斜面と、人差し指を中指に密着させて強く握り込んだときに、人差し指が掛かる後方傾斜面とを形成する位置に配置することが好ましい。
【００２４】
リールシート本体１６の延長部２８がこのような頂部を有することにより、リールシート本体１６の前方部位１６ａを軽く握り込んだとき、および、強く握り込んだときのいずれの場合でも、この延長部２８に人差し指をあてて操作することができ、釣り竿１０の微妙な操作から力強い操作まで、操作性に優れた握り部を形成することができる。
【００２５】
この延長部２８の両側では、側壁部３０が、この延長部２８の最前端から、後方かつ上方に向けて膨出部２６の前方傾斜面まで、滑らかな曲線状の前縁部３２を形成する。この前縁部３２を形成する延長部２８と側壁部３０とが、上方および前方に開口し、前部握り部３６の後部が嵌合する嵌合部３４（図２の（Ｄ）参照）を形成する。
【００２６】
本実施形態の前部握り部３６は、リールシート本体１６よりも軟質の材料により、竿杆１２を内部に挿通する厚肉円筒状構造に形成してあり、リールシート本体１６の嵌合部３４に嵌合される円筒状の後方部位と、先細状の前方部位とを有し、後方部位には、半径方向外方に向けて開口する凹部３８を形成してある。この凹部３８は、固定フード２０の開口端２０ａの前方側部位に、前部握り部３６の壁厚を超える深さで形成してあり、この凹部３８内に露出する竿杆１２および前部握り部３６の薄肉部を保護する嵌合筒体４０が、少なくともこの凹部３８が形成される部位にわたって、この前部握り部３６の内周部に配置してある。この嵌合筒体４０は、例えば接着剤でこの前部握り部３６に一体的に固着され、竿杆１２の外周面との間も接着剤等で一体的に固着される。
【００２７】
この前部握り部３６に形成される凹部３８は、魚釣用リール８の脚部６を人差し指から小指の間のいずれかの２本の指の間で挟んでリールシートを握持したときに、この握持した手の親指を支える後部傾斜面４２と、後方かつ外方を向き、親指の前方移動を規制する前部傾斜面４４とを有する。これらの後部傾斜面４２および前部傾斜面４４からは、釣竿の外面を越えて軸芯側まで竿杆１２すなわち嵌合筒体４０の両側に湾曲する側底面４６が延設される。
【００２８】
後部傾斜面４２は、上述の延長部２８の上側すなわち径方向に対向した部位に配置されており、特に、図１に示すようにスピニングリール８の脚部６を中指と薬指との間に挟んで握持したときに、親指の腹の部分をこの後部傾斜面４２に当て、延長部２８に当てた人差し指との間で強く握持することができる。更に、この凹部３８の後部傾斜面４２が竿杆１２の軸芯に対して傾斜することにより、親指の腹を後方に向けて引き寄せるように押圧することができる。
【００２９】
このように、後部傾斜面４２に親指を掛けることにより、延長部２８に下から添えた人差し指との間で、リールシート１４を強く握り込むことができると共に、この後部傾斜面４２を、親指の腹で後方に押圧することもできる。これにより、リールシート１４をコンパクトかつ確実に握り込むことができ、キャスティング等の魚釣り操作の際に、意図した方向に対して釣り竿１０が左右にずれた方向に振れてしまうのを、防止することができる。
【００３０】
後部傾斜面４２に対向配置された前部傾斜面４４は、軸芯に対して後部傾斜面４２よりも立上がった状態すなわちより大きな角度で傾斜する。これにより、この後部傾斜面４２に握持した手の親指の指先に係合したときに、この親指の指先を係止し、釣り竿１０に対して親指が前方に移動するのを確実に阻止する。この前部傾斜面４４は、握持した手の親指の前方移動を係止するストッパとして機能する。
【００３１】
また、これらの後部傾斜面４２と前部傾斜面４４とに連続する側底面４６が、嵌合筒体４０の両側に配置されることで、この凹部３８内に嵌合筒体４０の軸芯よりも上側の半円筒状の外周面が突出し、これらの側底面４６，４６間で左右の中央位置に配置される。この嵌合筒体４０と左右の側底面４６との間は、それぞれ溝状または谷状に凹設され、側底面４６に親指を載置したときに、親指の側方移動を阻止する側方ストッパとして用いることができる。
【００３２】
これにより、釣り糸を魚釣用リール８に巻き取る際に、リールシート１４を握持した手の親指を一方の側底面４６に載置して釣り竿１０が軸芯回りに回転するのを確実に阻止することができる。この側底面４６が嵌合筒体４０の両側に形成されることにより、魚釣用リール８のハンドル位置が右側あるいは左側のいずれに配置される場合であっても、対応することができる。
【００３３】
このような凹部３８は、後部傾斜面４２と前部傾斜面４４との間の最大距離すなわち後部傾斜面４２の後端部と前部傾斜面４４の前端部との間の軸方向距離を例えば３５〜４５ｍｍ程度に形成し、この後部傾斜面４２の後端部と固定フード２０の開口端２０ａから５〜１５ｍｍ程度前方に形成することが好ましい。このような範囲に形成することにより、無理なく親指を後部傾斜面に当接すること可能となる利点が得られる。
【００３４】
また、後部傾斜面４２の軸芯に対する傾斜角は、当接した親指が安定するために、約３０度程度に形成し、前部傾斜面４４の軸芯に対する傾斜角は、当接した親指の前方移動を規制するために、約５０度程度に形成することが好ましい。これらの後部傾斜面４２と前部傾斜面４４とは、平坦面で形成してもよく、更に、後部傾斜面４２を、当接する親指の腹の形状に対応する凹面状に形成することが親指を安定して密着させるために好ましい。そして、左右の側底面４６の幅寸法は、親指を安定した状態で載置するために、それぞれ親指の幅の１／２〜１／３で、例えば５〜１０ｍｍ程度のほぼ等しい大きさに形成することが好ましい。
【００３５】
このような凹部３８を形成する前部握り部３６は、リールシート本体１６よりも軟質材料で形成することにより、親指の握持が容易となり、親指が痛くなく、優れた握持感が得られ、リールシート１４およびこれを取付けた釣り竿１０の操作を容易に行うことがことができる。例えばウレタン、スチレン、オレフィン等のエラストマー、ＥＶＡ、ウレタン発泡体のような発泡材料、更に、コルク等の天然材料で形成することも可能である。この前部握り部３６の円筒状部の最大肉厚は３〜１０ｍｍ程度に形成することが好ましい。後部握り部２４ｂを形成する材料についても同様である。また、嵌合筒体４０は、竿杆１２と同様な繊維強化樹脂で形成するのが好ましいが、合成樹脂、金属で形成してもよい。
【００３６】
なお、前部握り部３６がウレタン発泡体やコルク等の柔軟な材料で形成する場合は、先端部にリング状部材（図示しない）を設け、この前部握り部３６を保護するようにしてもよい。
【００３７】
図３は、変形例によるリールシート１４を示し、リールシート本体５０は、上述の実施形態と同様な膨出部２６を上部に有し、この膨出部２６の前方に配置した前部握り部５２に、径方向外方に開口する凹部５４が形成されている。この凹部５４は、上述と同様な後部傾斜面５６と前部傾斜面５８とを有し、これらの間にほぼ全幅にわたって平坦状に延びる底面６０が形成されている。
【００３８】
この凹部５４は、上述の凹部３８のように竿杆１２を超えるまで深くは形成してなく、竿杆１２が露出しない。すなわち、凹部５４の底面６０は、前部握り部５２の厚肉円筒状構造を形成する周壁部の肉厚の範囲内の深さに形成してある。そして、平坦状の底面６０に、軸方向に延びる複数の突条６２を形成し、親指が側方に滑るのを防止する。なお、このような突条６２に代えて複数本の溝を軸方向あるいは傾斜方向に形成してもよい。
【００３９】
このリールシート本体５０は、リールシート本体１６と同様な筒状に形成し、この先端に前部握り部５２を固定してもよく、前部握り部５２と一体に形成してもよい。この場合には、前部握り部５２の外周部および凹部５４の内面を、上述の実施形態における前部握り部３６と同様な材料で覆うことも可能である。
【図面の簡単な説明】
【００４０】
【図１】本発明の好ましい実施形態による釣り竿の使用状態の説明図。
【図２】図１に示す釣り竿の一部を示し、（Ａ）は平面図、（Ｂ）は側面図、（Ｃ）は（Ｂ）のＣ−Ｃ線に沿う断面図、（Ｄ）は（Ａ）のＤ−Ｄ線に沿う断面図。
【図３】変形例による釣り竿の一部を示し、（Ａ）は平面図、（Ｂ）は（Ａ）のＢ−Ｂ線に沿う断面図。
【符号の説明】
【００４１】
４…釣竿取付部、６…脚部、８…魚釣用リール、１０…釣り竿、１２…竿杆、１４…リールシート、１６…リールシート本体、１８…載置面、２０…固定フード、２０ａ…開口端、２４…移動フード、３８…凹部、４２…後部傾斜面、４４…前部傾斜面。
【図１】
0005000568.tif 000002
【図２】
0005000568.tif 000003
【図３】
0005000568.tif 000004